(57)【要約】      （修正有）【課題】ディスク媒体を読取って得たカラー読取画像データの中から鏡面反射部分を自動検出してこの部分を所定色データに自動的に置き換える装置を提供する。【解決手段】原稿載置台に載置された原稿をカラー読取部によって読取って得たカラー読取画像データに、画像処理を施す画像処理手段を備えるカラー画像形成装置であって、画像処理手段は、ディスク媒体を読取って得たカラー読取画像データの中から鏡面反射部分を検出する検出手段と、検出した鏡面反射部分を所定色に置き換える所定色置換手段とを備えたことを特徴とするカラー画像形成装置を提供し、干渉縞の発生が防止され、ディスク媒体面に印刷された画像を正確に読取りが可能になる。【選択図】図１
2004208078.tif 000002
【特許請求の範囲】
【請求項１】
原稿載置台に載置された原稿をカラー読取部によって読取って得たカラー読取画像データに、画像処理を施す画像処理手段を備えるカラー画像形成装置であって、
画像処理手段は、ディスク媒体を読取って得たカラー読取画像データの中から鏡面反射部分を検出する鏡面部検出手段と、検出した鏡面反射部分を所定色に置き換える所定色置換手段とを備えたことを特徴とするカラー画像形成装置。
【請求項２】
請求項１において、
検出手段は、鏡面反射部分を検出するためのデータを記憶する記憶手段をさらに備え、記憶しているデータを参照してカラー読取画像データの中から鏡面反射部分の読取データを検出することを特徴とするカラー画像形成装置。
【請求項３】
請求項２において、
記憶手段にはデータとして縞模様の位置及び並び方をマッチングデータを記憶しておき、検出手段は、カラー読取画像データとマッチング用データとの一致度合いが所定以上である部分を鏡面反射部分と判断する機能を有することを特徴とするカラー画像形成装置。
【請求項４】
請求項１または請求項２において、
ユーザーによるディスク媒体読取りモードの設定入力を受け付ける受付手段をさらに備えたことを特徴とするカラー画像形成装置。
【発明の詳細な説明】
【０００１】
【発明の属する技術分野】
本発明は、画像形成装置において、フラットベッドスキャナタイプの画像形成装置を使用して、円筒物形状物体表面を読取る技術に関するものである。
【０００２】
【従来の技術】
ディスク盤は、内部に銀色部分が形成されて、一方の面が意匠図柄や文字などが印刷されるいわゆるレーベル面とされ、一方、その反対面は各種データが書き込まれて記憶されてるデータ面とされているものが多い。
【０００３】
ところで上記レーベル面に印刷された図柄や文字を画像として再生したい場合、コピー機等の画像形成装置が用いられる。
【０００４】
このような画像形成装置として、特許文献１に示すようなスキャナ（ＦＢＳ）読取を行う読取装置を備えた画像形成装置４が知られている。この画像形成装置４は、図６に示すように、ＦＢＳにより原稿を読取る場合は、プラテンカバー５０を開け、プラテンガラス４２上に原稿を置き、読取光学系のフルレートキャレッジ４４及びハーフレートキャレッジ４５を図６の左から右へ走査させながら、原稿を読取る。読取光学系は、ランプ４４aとミラーｍ１を設けたフルレートキャレッジ４４と、一対の対向するミラーｍ２とミラーｍ３を配置するハーフレートトキャレッジ４５とレンズ４８と撮像素子４９を組み合わせて構成されている。この光学系の構成は、ランプ４４ａからの光が原稿に照射され、その反射光がミラーｍ１，ｍ２，ｍ３で順次反射され、レンズ４８を介してＣＣＤ４９に伝達され、ＣＣＤ４９が光信号を電気信号に変換して画像形成装置の画像情報処理部に伝達されるようにされている。
【０００５】
【特許文献１】
特開平２００２−６００７４号公報
【発明が解決しようとする課題】
このような従来の画像形成装置は、一般的に、長方形の紙原稿の画像読取を対象としている。原稿載置台にＣＤやＤＶＤ等のディスク媒体（情報記録媒体）を載置して読取を行うことにより、そのディスク媒体の盤面画像（レーベル面画像）を読取ることはできる。
【０００６】
しかしながら、上記のような画像形成装置でCDやDVDなどの盤面画像を読み取った場合、印刷部の周囲や内側部分に残る銀色鏡面部分（非印刷部分）で干渉縞が生じ、これが鏡面画像に違和感を呈したり、印刷部の画像を不鮮明なものにするいう問題点があった。
【０００７】
本発明は、上記問題を解決するためになされたものである。すなわち、ディスク媒体を読取って得たカラー読取画像データの中から鏡面反射部分を自動検出してこの部分を所定色データに自動的に置き換える装置を提供する。
【０００８】
【課題を解決するための手段】
請求項１によれば、原稿載置台に載置された原稿をカラー読取部によって読取って得たカラー読取画像データに、画像処理を施す画像処理手段を備えるカラー画像形成装置であって、画像処理手段は、ディスク媒体を読取って得たカラー読取画像データの中から鏡面反射部分を検出する鏡面部検出手段と、検出した鏡面反射部分を所定色に置き換える所定色置換手段とを備えたことを特徴とするカラー画像形成装置を提供する。
請求項２によれば、検出手段は、鏡面反射部分を検出するためのデータを記憶する記憶手段をさらに備え、記憶しているデータを参照してカラー読取画像データの中から鏡面反射部分の読取データを検出することを特徴とするカラー画像形成装置を提供する。
請求項３によれば、記憶手段にはデータとして縞模様の位置及び並び方をマッチングデータを記憶しておき、検出手段は、カラー読取画像データとマッチング用データとの一致度合いが所定以上である部分を鏡面反射部分と判断する機能を有することを特徴とするカラー画像形成装置を提供する。
【０００９】
請求項４によれば、ユーザーによるディスク媒体読取りモードの設定入力を受け付ける受付手段をさらに備えたことを特徴とするカラー画像形成装置を提供する。
【００１０】
【発明の実施の形態】
以下に本発明の実施の形態について図を参照して説明する。図１は本発明のカラー画像形成装置のブロック図、図２は本発明のディスク媒体読取処理手段を示す図、図３は本発明のディスク媒体読取処理のフローチャート、図４は本発明のサブルーチンのフローチャート、図５は本発明のフラットベットスキャナの斜視図である。
【００１１】
図５は本発明に用いられるフラットベッドスキャナ（ＦＢＳ）タイプの画像形成装置１００を示す簡易的な外観を示す概略斜視図である。画像形成装置１００は、その内部に、左右に動く読取光学系１０３を内蔵し、外部にプラテンガラス１０１とプラテンカバー１０２とハウジング１０４等を有する。プラテンガラス１０１は読取対象物２００を載置するものであり、ハウジング１０４の上面に取り付けられている。読取対象物２００は、CDやDVD等のディスク媒体である。プラテンカバー１０２は、プラテンガラス１０１に載置された読取対象物２００を押圧するものであり、プラテンガラス１０１に対して上方向（a方向）に開閉自在である。ハウジング１０４には、読取光学系１０３が内臓されている。
【００１２】
ハウジング１０４内において、読取光学系の一部または全部をプラテンガラス１０１面に沿って（b方向）移動させることにより、プラテンガラス１０１上に載置された原稿（読取対象物２００）の読取を行う。読取光学系は、光源、ミラー、レンズ、カラー読取センサ（撮像素子）等を含む。それらの一部または全部が移動可能なキャレッジに搭載され、読取時には、そのキャレッジを移動させながら読取を行う。カラー読取センサは、主走査方向に複数個撮像素子を並べて構成されている。本実施形態では、カラー読取用の読取光学系を使用し、カラー読取時には、ＲＧＢ３色の読取画像データを出力する。
【００１３】
本発明である画像形成装置の構成は、図１にブロック図で示される。この装置の構成は、外部とのインターフェースであるネットワークコントローラユニット１とモデム２と、画像メモリ３と、マッチング用データを記憶したRAM４と、ディスク媒体読取処理プログラムを記憶したROM５と、ユーザに必要な視覚情報を表示する表示部６と、ディスク媒体読取キー７１を備えた操作部７と、光源と複数のミラーとレンズと画像センサから構成される読取部８と、必要な情報を印字する記録部９と、画像形成装置を制御する制御部（CPU）１０から構成される。
【００１４】
以下に本画像形成装置のNCU１から制御部１０について、図１に基づいて説明する。
【００１５】
モデム２とＮＣＵ１（ネットワークコントロールユニット）は、組合わせて使用され、外部ＦＡＸ装置との間で画像情報を送受信したりする。
【００１６】
画像メモリ３は、撮像素子で変換された電気信号等を保存する。
【００１７】
ＲＡＭ４は、ディスク媒体のマッチングデータやディスク媒体の外形情報や画像形成装置の操作条件等を格納している。
【００１８】
ＲＯＭ５は、本発明のディスク媒体読取プログラムやその他の画像形成装置制御プログラム等を格納している。鏡面部検出手段や所定色置換手段は、制御部（ＣＰＵ）１０の機能として含まれるものであり、鏡面部特性記憶手段はＲＡＭ４である。
【００１９】
表示部６は、液晶ディスプレー等で構成され、ユーザに必要な視覚情報を提供する。液晶ディスプレーはタッチセンサ付きのものが望ましく、ディスプレーに表示されたディスク外径等をユーザが選択することができる。
【００２０】
操作部７は、ディスク媒体読取キー７１と従来から画像処理装置にある各種キー（スタートキー等）（不図示）からなる。ユーザがディスク媒体読取キー７１を押すことによって、被読取物であるディスク媒体の面積に応じた最小限の読取が可能となる。設定されたディスク媒体読取モードにより、ユーザが、表示部６の液晶ディスプレー等の画面内に表示された選択すべきディスク媒体外径サイズを選択する。この選択により、画像処理装置は、スキャナの読取を必要最低限の読取領域に設定する。ディスク媒体読取モードとはＣＤ、ＤＶＤ等のディスク媒体読取モードのことを言う。
【００２１】
読取部８は、光源と複数のミラーとレンズと画像センサから構成される。画像センサとしては、カラー撮像素子が優れており、本実施例では、カラー用の撮像素子（ＣＣＤ）を用いる。このカラー用の撮像素子（ＣＣＤ）は被読取物の色分解をおこなうが色分解の方法は各種方式がある。本実施形態においては、カラーリニアイメージ方式を採用している。また本画像形成装置は、被読取物を固定し、光学系を動かすリニアイメージセンサを使用したフラットベッドスキャナとなっている。
【００２２】
記録部９は印字をしたり、外部へのデータ出力の一時保管を行う。
【００２３】
制御部１０は、主にＣＰＵで構成され、画像メモリ３やＲＡＭ４やＲＯＭ５を逐次使用しながら、画像形成装置の全体制御と各種演算処理を行う。例えばＣＰＵは、可変データなどを一時記憶するＲＡＭ４と制御プログラム等を格納したＲＯＭ５を使用し、各手段の動作や各手段との間のデータのやり取りを制御する。ＣＰＵ１０は、ＲＡＭ４をマッチング用データを記憶した鏡面部特性記憶手段や作業メモリとして使用しながら、ＲＯＭ５に格納されたプログラムを実行する。またカラー画像読取データに対する鏡面部検出手段や所定色置換手段は、制御部（ＣＰＵ）１０の機能として含まれるものである。ＣＰＵ１０は、これらのＲＡＭ４やＲＯＭ５や画像メモリ3を適宜使用しながら、本発明の鏡面部特性記憶手段や鏡面部検出手段や所定色置換手段を実行し、鏡面部分を所定色に置き換える。
【００２４】
ユーザが、図４における画像形成装置のプラテンカバー１０２を開け、読取物であるディスク媒体（２００）を、画像形成装置のプラテンガラス１０１上に置き、プラテンカバー１０２を閉じることにより、画像読取の準備ができる。
【００２５】
以下に本発明の画像形成装置の動作を、図２に示すフローチャートのステップ１００１からステップ１００７で説明する。
【００２６】
以下に画像形成装置の動作を各ステップ毎に説明する。ステップ１００１において、使用者が、ディスク媒体読取キー７１を操作することにより、画像形成装置の読取モードが、ディスク媒体読取モードに設定される。設定されたディスク媒体読取モードにより、読取対象となるディスク媒体の外径が、選択すべきディスク媒体サイズの外径として液晶ディスプレー等に表示される。使用者が適宜、表示されたディスク媒体径を選択することで、選択されたディスク媒体の外径が、ＲＡＭ４に記憶され、スキャナの読取が、必要最低限の読取領域に設定される。
【００２７】
ステップ１００２において、画像形成装置が、使用者からの読取開始指示待ちの状態であり、使用者によりスタートキーが押されるとステップ１００３に進む。
【００２８】
ステップ１００３において、画像形成装置のディスク媒体の読取が開始され、ディスク媒体全領域を読取り、シェーディング補正や色空間変換等の必要な処理が施された後、ステップ１００４に進む。
【００２９】
ステップ１００４において、ディスク媒体の全領域のカラー読取画像データ（RGB色分解データ）を画像メモリ３に記憶させ、ステップ１００５に進む。
【００３０】
ステップ１００５では、ＣＰＵ１０は、ディスク媒体の鏡面部分を抽出し、図３に示すサブルーチンのフローチャートに示すステップ１０５１に進む。
【００３１】
ステップ１０５１おいて、ＣＰＵ１０が、鏡面部の所定画素抽出を１画素毎、または４画素毎に抽出し、ステップ１０５２に進む。
【００３２】
ステップ１０５２において、RAM４に記憶しているマッチング用データから、ステップ１０５１で抽出した画素に対応するデータを読み出す。このマッチング用データはカラーデータであり、予め全面または略全面が鏡面部分であるマッチング用ディスクを読取ることにより得ることができる。すなわち、マッチング用ディスクを読取ることにより得たカラー読取画像データが、鏡面部における各画素の色情報を示すデータとしてマッチング用データと定義される。ディスク上の鏡面反射部分の表面に見える縞模様は略同一のパターンを示すので、予めディスクの鏡面反射部分の全面について偏光特性（円周方向のどのような色の順番で縞模様が見えるか）を得てＲＡＭ４にマッチング用データとして記憶させておくのである。そして、マッチング用データを読出しながら、ステップ１０５３へ進む。
【００３３】
ステップ１０５３において、ＣＰＵ１０が、ステップ１０５１で抽出した画素のカラー読取画像データとステップ１０５２で読み出したマッチング用データとの一致度合いをパターンマッチングにより照合する。
【００３４】
ステップ１０５４において、ステップ１０５３の照合結果をＣＰＵ１０が判定する。ステップ１０５３においてＣＰＵ１０は、上記偏光特性の一致度合いが基準以上であれば、抽出画素は鏡面部であると判断し、基準より小さいさければ抽出画素は非鏡面部分であると判断し、ステップ１０５５に進む。
【００３５】
ステップ１０５５において、ステップ１０５４でＣＰＵ１０が、鏡面部と判断した画素について鏡面フラグをONする。これにより後にＣＰＵ１０が、ディスク媒体の全画素の中から鏡面部分の画素のみを抽出し、ステップ１０５６に進む。
【００３６】
ステップ１０５６において、ＣＰＵがディスク領域の全画素を抽出したかを判定する。未抽出の画素がある場合には、ステップ１０５１に戻り、ＣＰＵ１０が、次の所定画素を抽出し同様の処理を行う。未抽出の画素がない場合、図３のフローチャートのステップ１００６に進む。
【００３７】
図３のステップ１００６において、ＣＰＵ１０が、ディスク媒体領域の全画素において、鏡面フラグがONとなっている画素を全て白データ（例えばＲＧＢが最高値データ）に置換え、ステップ１００７に進む。
【００３８】
ステップ１００７において、ＣＰＵが、画像メモリ３内のカラー読取画像データを置換処理後のデータに更新し、一連の動作は終了する。
【発明の効果】
請求項１によれば、不要な干渉縞の発生を防止し、ディスク媒体面に印刷された画像を正確に再現することができ、請求項２及び請求項３よれば、鏡面部分の特有の偏光特性を示すデータを利用するもので、簡易に鏡面部分を特定することができる。
【００３９】
請求項４によれば、ユーザによる入力モードが設定可能となり、ユーザが、必要なときのみディスク媒体読取モードに設定して、ディスク媒体の読取りが行える。
【図面の簡単な説明】
【図１】本発明のカラー画像形成装置のブロック図である。
【図２】本発明のディスク媒体読取処理のフローチャートである。
【図３】本発明のサブルーチンのフローチャートである。
【図４】本発明のフラットベットスキャナの斜視図である。
【図５】従来のフラットベットスキャナの概略正面図である。
【符号の説明】
１・・・ＮＣＵ
２・・・モデム
３・・・画像メモリ
４・・・ＲＡＭ
５・・・ＲＯＭ
６・・・表示部
７・・・操作部
８・・・読取部
９・・・記録部
１０・・・制御部（ＣＰＵ）
７１・・・ディスク媒体読取キー
【図１】
2004208078.tif 000003
【図２】
2004208078.tif 000004
【図３】
2004208078.tif 000005
【図４】
2004208078.tif 000006
【図５】
2004208078.tif 000007